(57)【特許請求の範囲】
【請求項１】
基板と、該基板上に設けられた抵抗膜と、絶縁材料からなるスペーサと、該スペーサを介して該抵抗膜と対向する検出電極膜と、該抵抗膜上の周辺部分に該抵抗膜の各辺に沿って設けられた複数の点状電極と、該点状電極に電気的に接続された複数のスイッチ素子とを備え、該検出電極膜の任意の加圧位置の座標を検出する座標入力装置のタッチ入力パネルにおいて、
該基板上の抵抗膜の周辺部に設けられた絶縁膜と、
該絶縁膜の上に設けられたスイッチ素子接続用導体パターンと、
該複数のスイッチ素子のリード端子および該リード端子が接続される部分の該スイッチ素子接続用導体パターンが露呈するように、該スイッチ素子接続用導体パターン上に貼着された両面接着テープとを設け、
該両面接着テープを介して該検出電極膜の端部と該スイッチ素子接続用導体パターンを貼着し、
該スイッチ素子接続用導体パターンに接続された該複数のスイッチ素子を該基板上に固定させる樹脂層が、該リード端子および該リード端子が接続される部分の該スイッチ素子接続用導体パターンを覆うように形成されてなること、
を特徴とするタッチ入力パネル。
【請求項２】
前記樹脂層の形成に、ウレタンアクリル樹脂が使用されたこと、
を特徴とする請求項１記載のタッチ入力パネル。
【発明の詳細な説明】
【０００１】
【発明の属する技術分野】
本発明は、抵抗膜と検出電極膜とがスペーサを介して対向し、該抵抗膜の周辺部接続されたスイッチ素子が配設されたタッチ入力パネルの構成、特にスイッチ素子としてダイオードまたはＦＥＴを抵抗膜形成基板に搭載したとき、そのスイッチ素子の接続部分の構成に関する。
【０００２】
ペン等を用いて入力パネルを加圧したとき、その加圧位置の座標を検出する従来の座標入力装置としては、特開平６−１８７０８３号公報（以下前願とする）に開示されたものがある。
【０００３】
図３は、前願（従来）の座標入力装置の構成例のブロック図であり、座標入力装置は、大別して、抵抗膜１、検出電極膜２、スイッチ手段３、電圧印加部である駆動電源４、信号検出部（図示せず）、開閉手段であるスイッチ部５から構成されており、スイッチ手段３は、抵抗膜１の周辺部に形成された点状電極１ａと導体パターン１１に接続される複数のスイッチ素子例えば複数のダイオード６からなる４つのスイッチ群から構成されている。
【０００４】
【従来の技術】
図４は従来のタッチ入力パネル要部の説明図であり、（ａ）は平面図、（ｂ）はそのＡ−Ａ断面図である。
【０００５】
前記スイッチ素子としてダイオード６を使用した図４において、ガラス基板１０上に公知の手段で抵抗膜（ＩＴＯ膜）１が形成され、その上にスペーサ７と第１の絶縁膜８を形成する。絶縁膜８は、ペン等で検出電極膜２を押圧する入力領域に対応するスペーサ７の外側に形成され、従って額縁形状である。
【０００６】
抵抗膜１の点電極（図示せず）を露呈させる窓が形成された絶縁膜８の上には、ダイオード６ドライブ用導体（銀）パターン１１と検出用導体（銀）パターン１２，１３を形成したのち、導体パターン１１，１２，１３の所定部、即ちダイオード６の電気的接続部で導体パターン１１，１２，１３を露呈させる窓１４ａ，１４ｂ，１４ｃを穿設した絶縁膜１４を形成し、その絶縁膜１４の上には、ダイオード６の実装部でコ字形に切り欠いた両面接着テープ１５を貼着し、接着テープ１５の上面にはＰＥＴシート１６が貼着された検出電極膜２を貼着する。
【０００７】
ＰＥＴシート１６を介して電極膜２を押圧したとき、その位置座標を検出するダイオード６は、リード６ａと導体パターン１１，リード６ｂと導体パターン１２，リード６ｃと導体パターン１３を導電性接着材で接続されており、図４（ａ）では一点鎖線で輪郭を示す樹脂層（例えばウレタンアクリル樹脂）１７は、絶縁膜１４の窓１４ａ，１４ｂ，１４ｃに充填されると共に、ダイオード６を絶縁膜１４に固着させる。
【０００８】
ほぼＬ字形状をした導体パターン１２と１３は、絶縁膜８に設けた透孔（図示せず）を介して抵抗膜の一部（点電極）と接続しており、同一スイッチ群内の複数のダイオード６が連通する導体パターン（ドライブ電極）１１は、図示しない引き出し線を介して駆動電源４に接続されている。
【０００９】
なお、前記ダイオード６に変えてＦＥＴを使用したものもあり、図４において樹脂層１７は、検出電極膜２に均一な張力が付与されるようにするため、電極膜２から離すように形成されている。
【００１０】
【発明が解決しようとする課題】
以上説明したように、抵抗膜１形成基板１０にスイッチ素子（ダイオード又はＦＥＴ等）を搭載した従来のタッチ入力パネルでは、２層の絶縁層８と絶縁膜１４、即ち導体パターン１１，１２，１３を形成するための絶縁層８と、導体パターン１１，１２，１３のダイオード６接続部を露呈させる絶縁膜１４を形成する必要があった。しかし、銀行等におけるＡＴＭ(Automatic Tellers Machine) のタッチパネルや，ペン入力ワープロ等に代表されるタッチ入力パネルが広く利用されるのに伴って、一層の低価格化が要求されるようになり，構成および製造工程の簡易化が必要になった。
【００１１】
【課題を解決するための手段】
上記課題の解決を目的とした本発明は、基板と、該基板上に設けられた抵抗膜と、絶縁材料からなるスペーサと、該スペーサを介して該抵抗膜と対向する検出電極膜と、該抵抗膜上の周辺部分に該抵抗膜の各辺に沿って設けられた複数の点状電極と、該点状電極に電気的に接続された複数のスイッチ素子とを備え、該検出電極膜の任意の加圧位置の座標を検出する座標入力装置のタッチ入力パネルにおいて、
該基板上の抵抗膜の周辺部に設けられた絶縁膜と、該絶縁膜の上に設けられたスイッチ素子接続用導体パターンと、該複数のスイッチ素子のリード端子および該リード端子が接続される部分の該スイッチ素子接続用導体パターンが露呈するように、該スイッチ素子接続用パターン上に貼着された両面接着テープとを設け、該両面接着テープを介して該検出電極膜の端部と該スイッチ素子接続用導体パターンを貼着し、該スイッチ素子接続用導体パターンに接続された該複数のスイッチ素子を該基板上に固定させる樹脂層が、該リード端子および該リード端子が接続される部分の該スイッチ素子接続用導体パターンを覆うように形成されてなることを特徴とする。
【００１２】
かかる構成のタッチ入力パネルは、両面接着テープと樹脂層が、従来の絶縁膜１４の果たす役割を担うようになる。従って、従来の絶縁膜１４が不要になり、そのことで構成が簡易化されると共に製造工程も減って、生産性が向上する。
【００１３】
【発明の実施の形態】
図１は本発明の実施例によるタッチ入力パネル要部の説明図、図２は図１のＢ−Ｂ断面図である。ただし、図１において（ａ）は該要部の平面部、（ｂ）そのＡ−Ａ断面図である。
【００１４】
スイッチ素子としてダイオードを使用し、かつ、従来と同一構成部品に同一符号を使用した図１において、ガラス基板１０の上面には公知の手段で抵抗膜（ＩＴＯ膜）１が形成され、その上にスペーサ７と絶縁膜８を形成する。絶縁膜８は、ペン等で検出電極膜２を押圧する入力領域に対応するスペーサ７の外側に形成され、従って額縁形状である。
【００１５】
絶縁膜８の複数の所定部には、図２に示す如き透孔８ａが形成されており、透孔８ａ内にはダイオード６接続用点状電極となる、図３で示した抵抗膜１の点状電極１ａが露呈する。なお、図２は導体パターン２１接続用の点状電極８ａを示すが、かかる点状電極１ａ露呈用の透孔８ａは、導体パターン２２接続用として導体パターン２２形成領域にも形成されている。
【００１６】
透孔８ａ内に図３で示した点状電極１ａを露呈させる透孔８ａが形成された絶縁膜８の上には、ダイオード６のドライブ用導体パターン１１とほぼＺ字形状の検出用導体（銀）パターン２１，２２を形成したのち、導体パターン１１，２１，２２の所定部、即ちダイオード６のリード６ａ，６ｂ，６ｃの接続部を露呈させるため、凸字状に複数の所定箇所を切り欠いた両面接着テープ２３が貼着され、接着テープ２３の上面にはＰＥＴシート１６が貼着された検出電極膜２を貼着する。
【００１７】
ＰＥＴシート１６を介して電極膜２を押圧したとき、その位置座標を検出するダイオード６は、リード６ａと導体パターン１１，リード６ｂと導体パターン２１，リード６ｃと導体パターン２２を導電性接着材で接続されており、図１（ａ）では一点鎖線で輪郭を示す樹脂層（例えばウレタンアクリル樹脂）１７は、ダイオード６を絶縁膜８に固着させると共に、リード６ａ，６ｂ，６ｃ接続のため露呈する導体パターン１１，２１，２２の露呈部および、リード６ａ，６ｂ，６ｃを覆うようになる。
【００１８】
なお、前記実施例において導体パターン２１と２２をＺ字形状としたのは、リード６ａ，６ｂ，６ｃの接続に必要とする部分で導体パターン１１，２１，２２の露呈部をなるべく少なくするためであり、これは絶縁層１７の形成に必要とする樹脂量が少なくて済む。そして、これは絶縁層１７は検出電極膜２の均一な張力を損なわないようにするため、電極膜２から離すように形成されている。
【００１９】
【発明の効果】
以上説明したように本発明によるタッチ入力パネルは、スイッチ素子搭載のための絶縁膜は１層で済み、スイッチ素子搭載のため２層の絶縁層を必要とした従来のものに比べ、構成が簡易されたことで製造工程が減少し、生産性が向上するようになった。
【図面の簡単な説明】
【図１】  本発明の実施例によるタッチ入力パネル要部の説明図
【図２】  図１におけるＢ−Ｂ断面図
【図３】  座標入力装置の構成例のブロック図
【図４】  従来のタッチ入力パネル要部の説明図
【符号の説明】
１  抵抗膜
１ａ  点状電極
２  検出電極膜
６  ダイオード（スイッチ素子）
６ａ，６ｂ，６ｃ  ダイオードのリード端子
７  スペーサ
８  絶縁膜
１０  ガラス基板
１１，２１，２２  スイッチ素子接続用導体パターン
１７  絶縁層
２３  両面接着テープ
【図１】
0003782496.tif 000002
【図２】
0003782496.tif 000003
【図３】
0003782496.tif 000004
【図４】
0003782496.tif 000005